(57)【要約】【課題】撮影機能と位置情報サービスとを結びつけたサービスを実現することが出来る画像登録システム及びそれに関連する技術を提供すること。【解決手段】予め複数の撮影指定地域を定めておき、この地域を示す撮影指定地域情報（ある一定の広さを示す情報）を、ユーザ毎にＩＰサーバ１のデータベース１２に登録しておく。ユーザは、カメラ機能付の携帯電話３で、その予め指定された撮影指定地域で撮影を行う。そして、撮影画像は、携帯電話３の位置情報サービス等で取得した位置情報と共にＩＰサーバ１に送信し、位置情報に基づいて、データベース１２に登録されている撮影指定地域情報と対応付けられて撮影画像が格納されることを特徴とする。【選択図】　　図１
2004080239.tif 000002
【特許請求の範囲】
【請求項１】
画像登録システムであって、
被写体を撮影するカメラと、
現在位置の位置情報を取得する位置情報取得手段と、
前記カメラで撮影された撮影画像と、前記位置情報取得部で取得された位置情報とを送信する送信手段と
を有する携帯端末と、
撮影指定地域を示す撮影指定地域情報が予め複数登録された記憶手段と、
前記携帯端末より送信されてきた撮影画像を、撮影画像と共に送信されてきた位置情報を含む撮影指定地域情報に関連付けて前記記憶部に格納する格納手段とを有するサーバと
を有することを特徴とする画像登録システム。
【請求項２】
前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする請求項１に記載の画像登録システム。
【請求項３】
携帯端末とサーバとを有する画像登録システムであって、
現在位置の位置情報を取得する位置情報取得手段と、
前記位置情報をサーバに送信する手段と、
前記サーバより送信されてきた撮影用のフレーム画像をフレームとして、被写体を撮影するカメラと、
前記カメラで撮影された撮影画像と、前記位置情報取得部で取得された位置情報とを送信する手段と
を有する携帯端末と、
撮影指定地域を示す撮影指定地域情報と、撮影用のフレーム画像とが関連付けられて予め複数格納された記憶部と、
前記携帯端末より送信されてきた位置情報を含む撮影指定地域情報に関連付けられたフレーム画像を前記記憶部から検索し、検索されたフレーム画像を前記携帯端末に送信する手段と、
前記携帯端末より送信されてきた撮影画像を、撮影画像と共に送信されてきた位置情報を含む撮影指定地域情報に関連付けて前記記憶部に格納する格納手段とを有するサーバと
を有することを特徴とする画像登録システム。
【請求項４】
前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする請求項３に記載の画像登録システム。
【請求項５】
被写体を撮影するカメラと、現在位置の位置情報を取得する位置情報取得部とを有する携帯端末より送信される画像を登録する画像登録システムにおけるサーバであって、
撮影指定地域を示す撮影指定地域情報が予め複数登録された記憶手段と、
前記携帯端末より送信されてきた撮影画像を、撮影画像と共に送信されてきた位置情報を含む撮影指定地域情報に関連付けて前記記憶部に格納する格納手段とを有することを特徴とする画像登録システムにおけるサーバ。
【請求項６】
前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする請求項５に記載の画像登録システムにおけるサーバ。
【請求項７】
撮影用のフレーム画像を用いて被写体を撮影するカメラと、現在位置の位置情報を取得する位置情報取得部とを有する携帯端末より送信される画像を登録する画像登録システムにおけるサーバであって、
撮影指定地域を示す撮影指定地域情報と、撮影用のフレーム画像とが関連付けられて予め複数格納された記憶手段と、
携帯端末より送信されてきた位置情報を含む撮影指定地域情報に関連付けられたフレーム画像を前記記憶部から検索し、検索されたフレーム画像を前記携帯端末に送信する手段と、
前記携帯端末より送信されてきた撮影画像を、撮影画像と共に送信されてきた位置情報を含む撮影指定地域情報に関連付けて前記記憶部に格納する格納手段とを有することを特徴とする画像登録システムにおけるサーバ。
【請求項８】
前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする請求項７に記載の画像登録システムにおけるサーバ。
【請求項９】
携帯端末のプログラムであって、
前記プログラムは携帯端末を、
被写体を撮影するカメラと、
現在位置の位置情報を取得する位置情報取得手段と、
前記カメラで撮影された撮影画像と、前記位置情報取得部で取得された位置情報とをサーバに送信する送信手段と
して機能させることを特徴とする携帯端末のプログラム。
【請求項１０】
携帯端末のプログラムであって、
前記プログラムは携帯端末を、
現在位置の位置情報を取得する位置情報取得手段と、
前記位置情報をサーバに送信する手段と、
前記サーバより送信されてきた撮影用のフレーム画像をフレームとして、被写体を撮影するカメラと、
前記カメラで撮影された撮影画像と、前記位置情報取得部で取得された位置情報とを送信する手段と
して機能させることを特徴とする携帯端末のプログラム。
【請求項１１】
カメラ及び現在位置を取得する機能を有する携帯端末と、この携帯端末に対してサービスを提供するサーバとを有するシステムにおける画像登録方法であって、
携帯端末が、位置する現在位置の位置情報を取得するステップと、
撮影を行い、前記携帯端末が撮影画像を生成するステップと、
前記携帯端末が、前記位置情報と前記撮影画像とを、サーバに送信するステップと、
前記サーバが、撮影指定地域を示す撮影指定地域情報が予め複数登録されたデータベースに基づいて、前記携帯端末より送信されてきた位置情報がいずれの撮影指定地域情報に含まれるかを判断するステップと、
前記サーバが、前記携帯端末より送信されてきた位置情報を含む撮影指定地域に関連付けて、前記携帯端末より送信されてきた撮影画像を前記データベースに格納するステップと
を有することを特徴とする画像登録方法。
【請求項１２】
前記サーバが、前記データベースの撮影画像の格納状況を監視するステップと、
前記サーバが、全ての撮影指定地域情報に対して撮影画像が格納された場合、全ての撮影指定地域情報に対して撮影画像が格納されたことを前記携帯端末に通知するステップと
を更に有することを特徴とする請求項１１に記載の画像登録方法。
【請求項１３】
カメラ及び現在位置を取得する機能を有する携帯端末と、この携帯端末に対してサービスを提供するサーバとを有するシステムにおける画像登録方法であって、
携帯端末が、位置する現在位置の位置情報を取得するステップと、
前記携帯端末が、前記位置情報をサーバに送信するステップと、
前記サーバが、撮影指定地域を示す撮影指定地域情報と、撮影用のフレーム画像とが関連付けられて格納された第１のデータベースから、前記携帯端末より送信されてきた位置情報を含む撮影指定地域情報に関連付けられたフレーム画像を検索し、検索されたフレーム画像を前記携帯端末に送信するステップと、
前記サーバより送信されてきた撮影用のフレーム画像をフレームとして、被写体を撮影し、携帯端末が撮影画像を生成するステップと、
前記携帯端末が、前記位置情報と前記撮影画像とを、サーバに送信するステップと、
前記サーバが、撮影指定地域を示す撮影指定地域情報が予め複数登録された第２のデータベースに基づいて、前記携帯端末より送信されてきた位置情報がいずれの撮影指定地域情報に含まれるかを判断するステップと、
前記サーバが、前記携帯端末より送信されてきた位置情報を含む撮影指定地域に関連付けて、前記携帯端末より送信されてきた撮影画像を前記第２のデータベースに格納するステップと
を有することを特徴とする画像登録方法。
【請求項１４】
前記サーバが、前記第２のデータベースの撮影画像の格納状況を監視するステップと、
前記サーバが、全ての撮影指定地域情報に対して撮影画像が格納された場合、全ての撮影指定地域情報に対して撮影画像が格納されたことを前記携帯端末に通知するステップと
を更に有することを特徴とする請求項１３に記載の画像登録方法。
【発明の詳細な説明】
【０００１】
【発明が属する技術分野】
本発明は画像登録システム及びそれに関連する技術に関し、特にサーバ上に予め複数の地域を登録しておき、ユーザが登録してある地域で携帯電話等の携帯端末を用いて撮影した画像をサーバに順次登録していく画像登録システム及びそれに関連する技術に関する。
【０００２】
【従来の技術】
近年、カメラ機能付の携帯電話等の携帯端末が普及し、気軽に撮影した画像のやり取りを行っている。一方、ＧＰＳ技術を用いた位置情報サービスも、携帯電話を中心として行われている。
【０００３】
【発明が解決しようとする課題】
しかしながら、現在、上述した撮影機能と位置情報サービスとを結びつけたサービスはなく、このようなサービスの提供が望まれていた。
【０００４】
そこで、本発明は上記課題に鑑みて発明されたものであって、その目的は撮影機能と位置情報サービスとを結びつけたサービスを実現することが出来る画像登録システム及びそれに関連する技術を提供することにある。
【０００５】
【課題を解決するための手段】
上記本発明の目的を達成する第１の発明は、画像登録システムであって、
被写体を撮影するカメラと、
現在位置の位置情報を取得する位置情報取得手段と、
前記カメラで撮影された撮影画像と、前記位置情報取得部で取得された位置情報とを送信する送信手段と
を有する携帯端末と、
特定の地域を示す撮影指定地域情報が予め複数登録された記憶手段と、
前記携帯端末より送信されてきた撮影画像を、撮影画像と共に送信されてきた位置情報を含む撮影指定地域情報に関連付けて前記記憶部に格納する格納手段とを有するサーバと
を有することを特徴とする。
【０００６】
上記本発明の目的を達成する第２の発明は、上記第１の発明において、前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする。
【０００７】
上記本発明の目的を達成する第３の発明は、携帯端末とサーバとを有する画像登録システムであって、
現在位置の位置情報を取得する位置情報取得手段と、
前記位置情報をサーバに送信する手段と、
前記サーバより送信されてきた撮影用のフレーム画像をフレームとして、被写体を撮影するカメラと、
前記カメラで撮影された撮影画像と、前記位置情報取得部で取得された位置情報とを送信する手段と
を有する携帯端末と、
撮影指定地域を示す撮影指定地域情報と、撮影用のフレーム画像とが関連付けられて予め複数格納された記憶部と、
前記携帯端末より送信されてきた位置情報を含む撮影指定地域情報に関連付けられたフレーム画像を前記記憶部から検索し、検索されたフレーム画像を前記携帯端末に送信する手段と、
前記携帯端末より送信されてきた撮影画像を、撮影画像と共に送信されてきた位置情報を含む撮影指定地域情報に関連付けて前記記憶部に格納する格納手段とを有するサーバと
を有することを特徴とする。
【０００８】
上記本発明の目的を達成する第４の発明は、上記第３の発明において、前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする。
【０００９】
上記本発明の目的を達成する第５の発明は、被写体を撮影するカメラと、現在位置の位置情報を取得する位置情報取得部とを有する携帯端末より送信される画像を登録する画像登録システムにおけるサーバであって、
撮影指定地域を示す撮影指定地域情報が予め複数登録された記憶手段と、
前記携帯端末より送信されてきた撮影画像を、撮影画像と共に送信されてきた位置情報を含む撮影指定地域情報に関連付けて前記記憶部に格納する格納手段とを有することを特徴とする。
【００１０】
上記本発明の目的を達成する第６の発明は、上記第５の発明において、前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする。
【００１１】
上記本発明の目的を達成する第７の発明は、撮影用のフレーム画像を用いて被写体を撮影するカメラと、現在位置の位置情報を取得する位置情報取得部とを有する携帯端末より送信される画像を登録する画像登録システムにおけるサーバであって、
撮影指定地域を示す撮影指定地域情報と、撮影用のフレーム画像とが関連付けられて予め複数格納された記憶手段と、
携帯端末より送信されてきた位置情報を含む撮影指定地域情報に関連付けられたフレーム画像を前記記憶部から検索し、検索されたフレーム画像を前記携帯端末に送信する手段と、
前記携帯端末より送信されてきた撮影画像を、撮影画像と共に送信されてきた位置情報を含む撮影指定地域情報に関連付けて前記記憶部に格納する格納手段とを有することを特徴とする。
【００１２】
上記本発明の目的を達成する第８の発明は、上記第７の発明において、前記サーバは、前記記憶部の撮影画像の格納状況を監視し、全ての撮影指定地域情報に対して撮影画像が格納された場合、全ての撮影指定地域情報に対して撮影画像が格納されたことを前記携帯端末に通知する通知手段を更に有することを特徴とする。
【００１３】
上記本発明の目的を達成する第９の発明は、携帯端末のプログラムであって、
前記プログラムは携帯端末を、
被写体を撮影するカメラと、
現在位置の位置情報を取得する位置情報取得手段と、
前記カメラで撮影された撮影画像と、前記位置情報取得部で取得された位置情報とをサーバに送信する送信手段と
して機能させることを特徴とする。
【００１４】
上記本発明の目的を達成する第１０の発明は、携帯端末のプログラムであって、
前記プログラムは携帯端末を、
現在位置の位置情報を取得する位置情報取得手段と、
前記位置情報をサーバに送信する手段と、
前記サーバより送信されてきた撮影用のフレーム画像をフレームとして、被写体を撮影するカメラと、
前記カメラで撮影された撮影画像と、前記位置情報取得部で取得された位置情報とを送信する手段と
して機能させることを特徴とする。
【００１５】
上記本発明の目的を達成する第１１の発明は、カメラ及び現在位置を取得する機能を有する携帯端末と、この携帯端末に対してサービスを提供するサーバとを有するシステムにおける画像登録方法であって、
携帯端末が、位置する現在位置の位置情報を取得するステップと、
撮影を行い、前記携帯端末が撮影画像を生成するステップと、
前記携帯端末が、前記位置情報と前記撮影画像とを、サーバに送信するステップと、
前記サーバが、撮影指定地域を示す撮影指定地域情報が予め複数登録されたデータベースに基づいて、前記携帯端末より送信されてきた位置情報がいずれの撮影指定地域情報に含まれるかを判断するステップと、
前記サーバが、前記携帯端末より送信されてきた位置情報を含む撮影指定地域に関連付けて、前記携帯端末より送信されてきた撮影画像を前記データベースに格納するステップと
を有することを特徴とする。
【００１６】
上記本発明の目的を達成する第１２の発明は、上記第１１の発明において、前記サーバが、前記データベースの撮影画像の格納状況を監視するステップと、
前記サーバが、全ての撮影指定地域情報に対して撮影画像が格納された場合、全ての撮影指定地域情報に対して撮影画像が格納されたことを前記携帯端末に通知するステップと
を更に有することを特徴とする。
【００１７】
上記本発明の目的を達成する第１３の発明は、カメラ及び現在位置を取得する機能を有する携帯端末と、この携帯端末に対してサービスを提供するサーバとを有するシステムにおける画像登録方法であって、
携帯端末が、位置する現在位置の位置情報を取得するステップと、
前記携帯端末が、前記位置情報をサーバに送信するステップと、
前記サーバが、撮影指定地域を示す撮影指定地域情報と、撮影用のフレーム画像とが関連付けられて格納された第１のデータベースから、前記携帯端末より送信されてきた位置情報を含む撮影指定地域情報に関連付けられたフレーム画像を検索し、検索されたフレーム画像を前記携帯端末に送信するステップと、
前記サーバより送信されてきた撮影用のフレーム画像をフレームとして、被写体を撮影し、携帯端末が撮影画像を生成するステップと、
前記携帯端末が、前記位置情報と前記撮影画像とを、サーバに送信するステップと、
前記サーバが、撮影指定地域を示す撮影指定地域情報が予め複数登録された第２のデータベースに基づいて、前記携帯端末より送信されてきた位置情報がいずれの撮影指定地域情報に含まれるかを判断するステップと、
前記サーバが、前記携帯端末より送信されてきた位置情報を含む撮影指定地域に関連付けて、前記携帯端末より送信されてきた撮影画像を前記第２のデータベースに格納するステップと
を有することを特徴とする。
【００１８】
上記本発明の目的を達成する第１４の発明は、上記第１３の発明において、前記サーバが、前記第２のデータベースの撮影画像の格納状況を監視するステップと、
前記サーバが、全ての撮影指定地域情報に対して撮影画像が格納された場合、全ての撮影指定地域情報に対して撮影画像が格納されたことを前記携帯端末に通知するステップと
を更に有することを特徴とする。
【００１９】
【発明の実施の形態】
本発明の実施の形態を説明する。
【００２０】
本発明は、予め複数の撮影指定地域を定めておき、この地域を示す撮影指定地域情報（ある一定の広さを示す情報）を、ユーザ毎にインフォメーション・プロバイダーサーバのデータベースに登録しておく。ユーザは、カメラ機能付の携帯電話等で、その予め指定された撮影指定地域で撮影を行う。そして、撮影画像は、携帯電話の位置情報サービス等で取得した位置情報と共にインフォメーション・プロバイダーサーバに送信し、位置情報に基づいて、登録されている撮影指定地域情報と対応付けられて撮影画像が格納されることを特徴とする。
【００２１】
本発明の利用の一例としては、山手線一周ラリーのようなキャンペーンに用いられる。山手線一周ラリーの対象駅として、新宿駅、東京駅、池袋駅、…の撮影指定地域を示す撮影指定地域情報を、ラリー参加者（ユーザ）毎にデータベースに設定しておく。ラリー参加者は、予め設定された新宿駅や、東京駅等の撮影指定地域で撮影を行い、その場所で取得した位置情報とともに撮影画像をサーバにアップロードし、データベースに登録していく。全ての撮影指定地域情報に対して撮影画像が格納されれば、ラリーは完了される。
【００２２】
以下、上述した本発明の具体的な実施の形態を説明する。
【００２３】
図１は本発明の実施の形態の一例を示す概念図である。
【００２４】
本実施の形態における画像登録システムは、図１に示される如く、予め定められた撮影指定地域情報とこれに関連付けられる撮影画像とが格納されるデータベースを備えたインフォメーション・プロバイダーサーバ（ＩＰサーバ）１と、携帯電話で取得したＧＰＳ情報に基づいて、現在の位置の位置情報を提供する位置情報サービスサーバ２と、カメラ及びＧＰＳ機能付き携帯電話３と、ＩＰサーバ１、位置情報サービスサーバ２及び携帯電話３を結ぶネットワーク（例えばインターネット）４とを有する。
【００２５】
以下、各構成要素について詳細に説明する。尚、位置情報サービスサーバ２は、既存のものなので、説明は省略する。
【００２６】
ＩＰサーバ１は、図２に示す如く、データの送受信を行う送受信部１１と、撮影指定地域情報と撮影画像とが関連付けられて格納されるデータベース１２と、携帯電話３から送信されてくる位置情報の判定や、ユーザＩＤの判定を行う判定部１３と、画像の格納状況を携帯電話３に通知する格納状況通知部１４とを有する。
【００２７】
データベース１２は、ユーザＩＤ毎に用意され、予め定められた複数の撮影指定地域情報と撮影画像とが関連付けられて格納されるデータベースである。ここで、撮影指定地域情報とは、ある一定の広さを持つ地域を特定する為の情報であって、地域、例えば新宿と言った地域を特定するための緯度・経度群等である。また、その撮影指定地域情報に関連付けて格納される撮影画像は、その撮影指定地域情報で特定される場所で撮影された画像である。尚、画像は、ＪＰＥＧ、ビットマッブ等の種類を問わない。
【００２８】
図３にデータベース１２の一例を示す。図３では、ユーザＡの為に新宿駅、東京駅、池袋駅、…の撮影指定地域情報が登録されており、そのうち新宿駅、池袋駅の撮影指定地域情報に関連付けられて撮影画像が格納されている。
【００２９】
判定部１３は、携帯電話３から送信されてくるユーザＩＤを判断し、本サービスが利用可能であるかを判断するものである。この判断は、例えば、ユーザＩＤ毎に設けられたデータベース有無で判断する。
【００３０】
また、判定部１３は、携帯電話３から撮影画像と共に送信されてくる位置情報（緯度・経度）が、データベース１２に登録されている撮影指定地域情報のいずれかに含まれるか否かを判断するものである。そして、送信されてきた位置情報（緯度・経度）がいずれかの撮影指定地域情報に含まれる場合には、その撮影指定地域情報に関連付けて、位置情報とともに送られてきた撮影画像をデータベース１２に格納する。
【００３１】
格納状況通知部１４は、データベース１２に対して画像格納状況を監視し、全ての撮影指定地域情報に対して画像が格納された場合にユーザにその旨を通知したり、ユーザからの問い合わせに対して、現在の画像の格納状況を通知したりする。
【００３２】
次に、携帯電話３について説明する。
【００３３】
携帯電話３は、図４に示す如く、被写体を撮影するカメラ３１と、ＧＰＳ情報を取得するＧＰＳ情報取得部３２と、取得したＧＰＳ情報に基づいて、位置情報サービスサーバ２から現在位置の位置情報を取得する位置情報取得部３３と、データを送受信する送信部３４と、撮影画像や位置情報を一時的に記憶する記憶部３５と、データの送受信や、画像の表示等の制御を行う制御部３６と、ディスプレイ３７とを有する。尚、カメラ３１は、例えばＣＣＤのような撮像素子を持つカメラである。撮影された画像は、ＪＰＥＧ等に変換されて記憶部３５に格納される。また、携帯電話３は、各々の固有のユーザＩＤを持ち、ＩＰサーバ１や、位置情報サービスサーバ２との通信を行う際、ユーザＩＤで携帯電話３又はユーザの識別を行うものである。
【００３４】
尚、位置情報サービスサーバ２を用いず、携帯電話３単独で位置情報を入手できる場合には、ＧＰＳ情報取得部３２と位置情報取得部３３とは不要であり、別にこれらに代わる位置情報取得手段でもかまわない。
【００３５】
次に上述した構成における動作を説明する。
【００３６】
図５、図６は本発明の実施の形態の動作フローチャートである。
【００３７】
尚、本動作の説明において、本発明を山手線一周ラリーのようなキャンペーンに適用した場合について説明する。そして、データベース１２に予め登録されている撮影指定地域情報としては、図３に示されるように新宿駅、東京駅、池袋駅、…の撮影指定地域情報が登録されているものとする。
【００３８】
まず、ユーザＡが撮影地、例えば新宿駅に到着すると、ユーザＡのアクションにより、携帯電話３のＧＰＳ情報取得部３２により、ＧＰＳ情報が取得される（Ｓｔｅｐ　１００）。取得されたＧＰＳ情報は、位置情報サービスサーバ２に送信される（Ｓｔｅｐ　１０１）。
【００３９】
位置情報サービスサーバ２は、送信されてきたＧＰＳ情報に基づいて、位置情報を算出し（Ｓｔｅｐ　１０２）、この位置情報を携帯電話３に送信する（Ｓｔｅｐ　１０３）。
【００４０】
携帯電話３では、位置情報取得部３３により、位置情報サービスサーバ２からの位置情報を受信し、これを記憶する（Ｓｔｅｐ　１０４）。
【００４１】
続いて、ユーザＡは、携帯電話３のカメラ３１を用いて、その位置で撮影を行う（Ｓｔｅｐ　１０５）。そして、ユーザＩＤ、撮影画像及び位置情報をＩＰサーバ１に送信する（Ｓｔｅｐ　１０６）。
【００４２】
ＩＰサーバ１は、判断部１３により、受信したユーザＩＤが登録されたユーザＩＤであるかを判断する（Ｓｔｅｐ　１０７）。受信したユーザＩＤに対応するユーザＩＤなければ（データベース１２がなければ）、エラーを送信する。
【００４３】
一方、対応するユーザＩＤであれば、ＩＰサーバ１は、受信した情報のうちの位置情報が、データベース１２に登録されている複数の撮影指定地域情報のいずれかに含まれか否かをチェックする（Ｓｔｅｐ　１０８）。本動作では、受信した位置情報が、データベース１２に登録されている新宿駅、東京駅、池袋駅、…を示す撮影指定地域情報のいずれかに含まれるかをチェックする。チェックの結果、位置情報が予め定められた撮影指定地域情報に含まれていない場合には、エラーを送信する。
【００４４】
一方、チェックの結果、位置情報が予め定められた撮影指定地域情報のいずれかに含まれる場合には、その撮影指定地域情報に対して撮影画像が既に格納されているかをチェックする（Ｓｔｅｐ　１０９）。
【００４５】
格納されていない場合には、その撮影指定地域情報に関連付けて、送信されてきた撮影画像をデータベース１２に格納する（Ｓｔｅｐ　１１０）。本動作では、受信した位置情報は、新宿駅を示す撮影指定地域情報に含まれることになるので、受信した撮影画像を、新宿駅を示す撮影指定地域情報に関連付けてデータベース１２に格納する。
【００４６】
一方、チェックの結果、既に撮影画像が登録されている場合には、画像の更新を行うかの確認をユーザに返信する（Ｓｔｅｐ　１１１）。更新を行う場合には、送信されてきた撮影画像を上書きする（Ｓｔｅｐ　１１０）。
【００４７】
続いて、格納状況通知部１４は、全ての撮影指定地域情報に対して撮影画像が格納されているかをチェックする（Ｓｔｅｐ　１１１）。
【００４８】
全ての撮影指定地域情報に対して撮影画像が格納されている場合には、全ての撮影指定地域情報に対して撮影画像が格納されていることを通知する（Ｓｔｅｐ
１１２）。例えば、本ラリーの達成通知等を行う。
【００４９】
一方、全ての撮影指定地域情報に対して撮影画像が格納されていない場合には、送信されてきた撮影画像が格納されたことを通知する（Ｓｔｅｐ　１１３）。
【００５０】
このようにして、全ての撮影指定地域情報に対して撮影画像が格納されるまで、上述の動作を行う。
【００５１】
尚、上述の動作とは別に、格納状況通知部１４により、携帯電話３より、格納状況の問い合わせがあった場合、そのユーザに対して、現在の格納状況を通知することもできる。
【００５２】
また、格納状況を通知する際、格納状況通知部１４が、携帯電話３で、格納されている撮影画像をサムネイル表示できるように通知することも可能である。
【００５３】
更に、ＩＰサーバ１の判定部１３及び格納状況通知部１４を、プログラムで動作するＭＰＵで構成するようにしても良い。同様に、携帯電話３についても、ＧＰＳ情報取得部３２、位置情報取得部３３及び制御部３６を、プログラムで動作するＭＰＵで構成するようにしても良い。
【００５４】
他の実施の形態について説明する。
【００５５】
上述した実施の形態では、予め複数の地域を定めておき、この地域を示す撮影指定地域情報を、ユーザ毎にインフォメーション・プロバイダーサーバのデータベースに登録しておき、カメラ機能付の携帯電話等で撮影された画像を、撮影指定地域情報に関連付けで格納する場合を説明した。
【００５６】
しかしながら、予め登録されている地域で単に撮影するよりも、その地域を特徴づけるフレーム画像と共に撮影すれば趣向性が高まる。
【００５７】
そこで、他の実施の形態では、上述した実施の形態に加え、登録されている地域に関連あるフレーム画像を予め用意しておき、これをユーザの撮影の際に提供することを特徴とする。
【００５８】
以下、他の実施の形態について詳細に説明する。尚、上述した実施の形態と同様なものについては説明を省略し、異なる部分についてのみ説明する。
【００５９】
図７は他の実施の形態の概念図である。
【００６０】
上述した実施の形態と異なる点は、まず、携帯電話３より位置情報のみをＩＰサーバ１に送信し、ＩＰサーバ１から位置情報に対応したフレーム画像を送ってもらい、このフレーム画像を用いて撮影する点にある。ここで、フレーム画像とは、被写体を撮影する際に合成される画像であって、撮影地域に関連した画像や、いわゆるキャラクタの画像であり、これらの画像以外は透過色としてなされており、被写体を撮影することが可能となっている。
【００６１】
フレーム画像の一例を図８に示す。図８では、東京駅に関連ある画像としては、新幹線のフレーム画像の例を示した。そして、このフレーム画像を用いて、図９に示す如く、人物等の被写体と合成して撮影画像を生成する。
【００６２】
上述のようなフレーム画像を提供する為、ＩＰサーバ１は、図１０に示す如く、撮影指定地域情報とフレーム画像とが関連付けて格納されたデータベース４０と、携帯電話３より送信されてくる位置情報に対応する撮影指定地域情報をデータベース４０から検索し、この撮影指定地域情報に関連付けて格納されているフレーム画像を携帯電話３に送信するフレーム画像検索部４１とを新たに有する。
【００６３】
データベース４０は、図１１に示す如く、撮影指定地域情報とフレーム画像とが関連付けられて格納されたものである。
【００６４】
フレーム画像検索部４１は、データベース４０に基づいて、携帯電話３から送信されてくる位置情報がいずれの撮影指定地域情報に含まれるものなのか判断する。そして、その位置情報が含まれる撮影指定地域情報に関連付けられたフレーム画像をデータベース４０から検索し、検索されたフレーム画像を送信部１１を介して携帯電話３に送信する。
【００６５】
一方、フレーム画像を受信した携帯電話３では、制御部３６により、フレーム画像がディスプレイ３７に表示される。そして、カメラ３１を通して写し出された被写体とフレーム画像との合成画像がディスプレイ３７に表示される。ディスプレイ３７に表示された合成画像でよければ、ユーザは撮影を行い、合成画像は記録部３５に記録される。
【００６６】
上記のような構成における動作を説明する。
【００６７】
図１２は他の実施の形態の動作フローチャートである。尚、上述した実施の形態の動作と同様なものについては、説明を省略する。
【００６８】
まず、Ｓｔｅｐ　１０４の動作に続き、記憶した位置情報をＩＰサーバ１に送信する（Ｓｔｅｐ　２００）。
【００６９】
ＩＰサーバ１では、フレーム画像検索部４１が、データベース４０に基づいて、携帯電話３から送信されてきた位置情報がいずれの撮影指定地域情報に含まれるものなのか判断する（Ｓｔｅｐ　２０１）。
【００７０】
送信されてきた位置情報がいずれの撮影指定地域情報に含まれる場合には（Ｓｔｅｐ　２０２）、その位置情報が含まれる撮影指定地域情報に関連付けられたフレーム画像をデータベース４０から検索し（Ｓｔｅｐ　２０３）、検索されたフレーム画像を送信部１１を介して携帯電話３に送信する（Ｓｔｅｐ　２０４）。
【００７１】
フレーム画像を受信した携帯電話３では、制御部３６により、フレーム画像がディスプレイ３７に表示される（Ｓｔｅｐ　２０５）。カメラ３１を通して写し出された被写体とフレーム画像との合成画像でよければ、ユーザは撮影を行い（Ｓｔｅｐ　２０６）、合成画像は記録部３５に記録される（Ｓｔｅｐ　２０７）。そして、Ｓｔｅｐ　１０６に戻り、これ移行の動作については上述した実施の形態の動作を行う。
【００７２】
尚、ＩＰサーバ１のフレーム画像検索部４１を他の部と同様に、プログラムで動作するＭＰＵで構成するようにしても良い。
【００７３】
【発明の効果】
本発明は、撮影指定地域を予めサーバに登録しておき、撮影指定地域で撮影された画像をサーバに送信し、サーバで撮影指定地域と画像とを関連付けて登録していくように構成したので、ラリーキャンペーンのようなイベントに活用することができると言う効果がある。
【００７４】
また、撮影指定地域に関連するフレーム画像を予め用意しておけば、更に趣向性の高いサービスを提供することが可能である。
【図面の簡単な説明】
【図１】図１は本発明の実施の形態の一例を示す概念図である。
【図２】図２はＩＰサーバ１のブロック図である。
【図３】図３はデータベース１２の一例を示す図である。
【図４】図４は携帯電話３のブロック図である。
【図５】図５は本発明の実施の形態の動作フローチャートである。
【図６】図６は本発明の実施の形態の動作フローチャートである。
【図７】図７は他の実施の形態の概念図である。
【図８】図８はフレーム画像の一例を示す図である。
【図９】図９はフレーム画像の用い方の一例を示す図である。
【図１０】図１０は他の実施の形態におけるＩＰサーバ１のブロック図である。
【図１１】図１１はデータベース４０の一例を示す図である。
【図１２】図１２は他の実施の形態の動作フローチャートである。
【符号の説明】
１　　　　ＩＰサーバ
２　　　　位置情報サービスサーバ
３　　　　携帯電話
４　　　　ネットワーク
【図１】
2004080239.tif 000003
【図２】
2004080239.tif 000004
【図３】
2004080239.tif 000005
【図４】
2004080239.tif 000006
【図５】
2004080239.tif 000007
【図６】
2004080239.tif 000008
【図７】
2004080239.tif 000009
【図８】
2004080239.tif 000010
【図９】
2004080239.tif 000011
【図１０】
2004080239.tif 000012
【図１１】
2004080239.tif 000013
【図１２】
2004080239.tif 000014